(57)【要約】      （修正有）【課題】教材のデータ化により訓練項目及び訓練手順を容易に検索可能とし、かつ選択した訓練項目に対応した模擬信号の発生、及び訓練後の効果確認を自動的に行い、全体として訓練効率が大幅に改善された出力領域モニタ訓練装置及び訓練方法を提供する。【解決手段】局部出力領域モニタユニット３と平均出力領域モニタユニット４と流量変換器ユニット５と制御棒引抜監視装置ユニット６と異常時に警報を発生する警報表示手段７とを備えた出力領域モニタ１と、訓練用のテキスト及び画像を格納する教材記録装置８と、前記教材記録装置８に格納された複数の訓練項目から一つの訓練項目を選択する訓練項目選択手段１０と選択された訓練項目に対応する教材を前記教材記録装置１０から抽出し表示する表示装置９とを備えた訓練コンソール２と、前記選択された訓練項目に対応した模擬信号を前記出力領域モニタに自動的に出力する模擬信号発生装置１１と、を備える。【選択図】図１
2010151612.tif 000002
【特許請求の範囲】
【請求項１】
局部出力領域モニタユニットと平均出力領域モニタユニットと流量変換器ユニットと制御棒引抜監視装置ユニットと異常時に警報を発生する警報表示手段とを含む出力領域モニタと、訓練用のテキスト及び画像を格納する教材記録装置と、前記教材記録装置に格納された複数の訓練項目から一つの訓練項目を選択する訓練項目選択手段とこの選択された訓練項目に対応する教材を前記教材記録装置から抽出し表示する表示装置とを備えた訓練コンソールと、前記選択された訓練項目に対応した模擬信号を前記出力領域モニタに自動的に出力する模擬信号発生装置と、を備えることを特徴とする出力領域モニタ訓練装置。
【請求項２】
前記訓練コンソールに設けられ訓練により確認した結果が入力される確認結果入力手段と、前記確認結果入力手段に入力された確認結果の良否を判断する訓練良否判断装置と、をさらに備えることを特徴とする請求項１記載の出力領域モニタ訓練装置。
【請求項３】
前記模擬信号発生装置の代わりに故障模擬入力装置を備えることを特徴とする請求項１又は２記載の出力領域モニタ訓練装置。
【請求項４】
前記確認結果入力手段に訓練により特定した故障箇所が入力され、前記訓練良否判断装置は前記確認結果入力手段に入力された故障箇所が正しいかどうかを判断することを特徴とする請求項３記載の出力領域モニタ訓練装置。
【請求項５】
前記運転コンソールに実際のプラント運転状態を記録したプラント運転状態記録装置を接続したことを特徴とする請求項１乃至４いずれか１項に記載の出力領域モニタ訓練装置。
【請求項６】
前記出力領域モニタにプラントシミュレータ接続手段を介してプラントシミュレータを接続したことを特徴とする請求項１乃至５いずれか１項に記載の出力領域モニタ訓練装置。
【請求項７】
訓練の実施状況及び訓練の良否を自動的に記録する訓練履歴記録装置をさらに備え、前記表示装置は、前記訓練項目選択手段で訓練項目が選択される際に、訓練履歴記録装置からの記録を表示することを特徴とする請求項１乃至６いずれか１項に記載の出力領域モニタ訓練装置。
【請求項８】
表示装置に表示された複数の訓練項目から１つの訓練項目を選択する工程と、選択された前記訓練項目に対応した模擬信号を模擬信号発生装置より出力領域モニタに自動的に出力する工程と、選択された前記訓練項目に対応して教材記録装置に格納された教材を自動的に前記表示装置に表示する工程と、前記表示装置に表示された教材に応じて訓練を実施する工程と、訓練結果に対して評価を行う工程と、からなることを特徴とする出力領域モニタ訓練方法。
【発明の詳細な説明】
【技術分野】
【０００１】
本発明は、原子炉出力を監視する出力領域モニタ訓練装置及び訓練方法に関する。
【背景技術】
【０００２】
沸騰水型原子炉では、原子炉出力を監視する目的から局部出力領域モニタ検出器が炉心内に約２００台配置され、これらのＬＰＲＭ検出器の信号から原子炉出力を監視し、異常時には原子炉緊急停止信号を発生する出力領域モニタが設置されている。
【０００３】
出力領域モニタは、局部出力領域モニタ（以下、「ＬＰＲＭユニット」という。）、平均出力領域モニタ（以下、「ＡＰＲＭユニット」という。）、流量変換器（以下、「ＦＬＯＷユニット」という。）、及び制御棒引抜監視装置（以下、「ＲＢＭユニット」という。）から構成される。
【０００４】
出力領域モニタは、ＬＰＲＭユニットで局部出力値を監視し、ＡＰＲＭユニットで原子炉平均出力を監視し、ＦＬＯＷユニットで再循環流量等を監視し、ＲＢＭユニットで制御棒の位置、引き抜き速度等を監視し、異常時には原子炉緊急停止信号を発生する（特許文献１、２参照）。
【０００５】
ところで、原子力プラントに設置される出力領域モニタにおいて、従来から、その保守点検作業のための訓練、及び運転操作ための訓練を可能とする出力領域モニタ訓練装置が用いられている。図１０は従来の出力領域モニタ訓練装置の概念図である。出力領域モニタ１は、局部出力領域モニタ３、平均出力領域モニタ４、流量変換器５、制御棒引抜監視装置６、手動模擬信号発生装置１９、及び訓練用の教材２０から構成される。教材２０は複数の訓練項目、訓練手順等が記載されたテキスト教材で、訓練の際、訓練生はその教材２０から所望の訓練項目、訓練手順を探し出し、その内容に基づいて、出力領域モニタに手動模擬信号発生装置１９に訓練内容に対応する模擬信号を入力し、保守点検作業訓練及び運転操作訓練をおこなっていた。
【特許文献１】特開２００７−３３９９公報
【特許文献２】特開２００７−５７３５５公報
【発明の開示】
【発明が解決しようとする課題】
【０００６】
上述した従来の出力領域モニタ訓練装置では、教材がテキスト形態で電子データ化されていないので、訓練項目及び訓練手順について、訓練生が教材から該当箇所を独自に探さなければならず、また、訓練に必要な模擬信号の入力も訓練生が個別に行わなければならないため、時間効率及び訓練効率が非常に悪いものとなっていた。また、訓練後の確認・記録作業を人間系に依存しているため、訓練の効果確認も煩雑で非効率なものとなっていた。
【０００７】
本発明は上述した課題を解決するためになされたものであり、教材テキスト、訓練用画像等からなる教材をデータ化することで訓練項目及び訓練手順を容易に検索可能とし、かつ、選択した訓練項目に対応した模擬信号を自動的に発生させることにより、時間効率及び訓練効率を大幅に改善させ、さらに、訓練後の効果確認を自動的に行うことで、全体として訓練効率が大幅に改善された出力領域モニタ訓練装置及び訓練方法を提供することを目的とする。
【課題を解決するための手段】
【０００８】
本発明に係る出力領域モニタ訓練装置は、局部出力領域モニタユニットと平均出力領域モニタユニットと流量変換器ユニットと制御棒引抜監視装置ユニットと異常時に警報を発生する警報表示手段とを含む出力領域モニタと、訓練用のテキスト及び画像を格納する教材記録装置と、前記教材記録装置に格納された複数の訓練項目から一つの訓練項目を選択する訓練項目選択手段とこの選択された訓練項目に対応する教材を前記教材記録装置から抽出し表示する表示装置とを備えた訓練コンソールと、前記選択された訓練項目に対応した模擬信号を前記出力領域モニタに自動的に出力する模擬信号発生装置と、を備えることを特徴とする。
【０００９】
また、本発明に係る出力領域モニタ訓練方法は、表示装置に表示された複数の訓練項目から１つの訓練項目を選択する工程と、選択された前記訓練項目に対応した模擬信号を模擬信号発生装置より出力領域モニタに自動的に出力する工程と、選択された前記訓練項目に対応して教材記録装置に格納された教材を自動的に前記表示装置に表示する工程と、前記表示装置に表示された教材に応じて訓練を実施する工程と、訓練結果に対して評価を行う工程と、からなることを特徴とする。
【発明の効果】
【００１０】
本発明によれば、訓練用のテキスト及び画像等からなる教材をデータ化することで訓練項目及び訓練手順を容易に検索可能とし、かつ、選択した訓練項目に対応した模擬信号を自動的に発生させることにより、時間効率及び訓練効率を大幅に改善し、さらに、訓練後の効果確認を自動的に行うことで、全体として訓練効率が大幅に改善された出力領域モニタ訓練装置及び訓練方法を提供することが可能となる。
【発明を実施するための最良の形態】
【００１１】
以下、本発明の実施形態について、図面を参照して説明する。  
（第１の実施形態）
本発明の第１の実施形態に係る出力領域モニタ訓練装置及び訓練方法を図１及び図２を用いて説明する。  
図１は出力領域モニタ訓練装置のシステム構成図である。  
図１において、原子炉出力を監視し、異常時には原子炉緊急停止信号又は制御棒引抜阻止信号を発生する出力領域モニタ１は、ＬＰＲＭユニット３、ＡＰＲＭユニット４、ＦＬＯＷユニット５、ＲＢＭユニット６、及び警報表示手段７から構成される。
【００１２】
警報表示手段７は、ＬＰＲＭユニット３、ＡＰＲＭユニット４、ＦＬＯＷユニット５、及びＲＢＭユニット６と接続し、入力信号異常時、伝送異常時又は機器故障時には警報を発生・表示する。
【００１３】
訓練コンソール２は、訓練の際に訓練生と訓練装置との間のインターフェースの役割を担い、表示装置９と訓練項目選択手段１０から構成される。訓練項目選択手段１０により選択される訓練項目としては、例えば警報出力確認訓練や電源電圧確認訓練、ユニット操作訓練が挙げられる。
【００１４】
教材記録装置８には、訓練に使用する教材データ（訓練用のテキスト及び画像等）が格納され、訓練コンソール２と接続され、訓練項目選択手段１０により選択された訓練項目に応じた準備作業、作業内容の画像、訓練テキスト等のマルチメディアデータを自動的に訓練コンソール２に送信し、表示装置９に表示する。
【００１５】
模擬信号発生装置１１は、出力領域モニタ１に模擬信号を出力する装置であり、出力領域モニタ１、訓練コンソール２に接続される。模擬信号発生装置１１は、訓練項目選択手段１０により選択された訓練項目に対応した模擬信号を自動的に出力領域モニタ１に出力する。例えば、ＲＢＭユニットの警報出力確認訓練においては、約２００ｃｈに及ぶ模擬信号の入力操作が必要であるが、この訓練項目に対応して模擬信号を自動的に出力する模擬信号発生装置１１を使用することにより、訓練生の操作の手間を大幅に削減することが可能となる。
【００１６】
図２は訓練手順の流れを示した訓練手順フロー図である。  
訓練生は、まずＳＴ１にて表示装置９に表示された複数の訓練項目から対象とする訓練項目を訓練項目選択手段１０により選択する。ＳＴ２では、選択された訓練項目に対応した模擬信号が模擬信号発生装置１１より出力領域モニタ１に自動的に出力され、ＳＴ３にて、表示装置９は選択された訓練項目に応じ、教材記録装置８に格納された準備作業、作業内容についての画像、テキスト等のマルチメディアデータを自動的に表示する。ＳＴ４では、表示装置９に表示された作業内容に応じて訓練を実施し、ＳＴ５にて講師が、訓練生が行った訓練結果に対して訓練評価を行う。
【００１７】
本第１の実施形態によれば、訓練用のテキスト及び画像等からなる教材をデータ化することで訓練項目及び訓練手順を容易に検索可能とすることにより、また、訓練項目選択手段で選択された訓練項目に対応した模擬信号を自動的に出力領域モニタに出力するとともに、表示装置に表示されたマルチメディアデータに基づいて訓練を実施することにより、時間効率及び訓練効率を大幅に改善し、さらに、訓練後の効果確認を自動的に行うことで、全体として訓練効率が大幅に改善された出力領域モニタ訓練装置及び訓練方法を提供することができる。
【００１８】
（第２の実施形態）
本発明の第２の実施形態に係る出力領域モニタ訓練装置及び訓練方法を図３及び図４を用いて説明する。  
図３は第２の実施形態に係る出力領域モニタ訓練装置のシステム構成図である。なお、第１の実施形態と同一の構成には同一の符号を付し、重複する説明は省略する。
【００１９】
本第２の実施形態に係る出力領域モニタ訓練装置は、訓練項目選択手段１０により選択された訓練項目に対応した訓練結果が入力可能な確認結果入力手段１２を訓練コンソール２に備え、訓練コンソール２と出力領域モニタ１に接続された訓練良否判断装置１３により、確認結果入力手段１２により入力された結果と、出力領域モニタ１により出力された信号とを比較し、訓練の良否を判定することを特徴とする。
【００２０】
例えば、電源電圧確認訓練やパラメータ設定確認訓練においては、訓練生が測定した電源電圧やユニット操作により確認したパラメータを確認結果入力手段１２により入力し、訓練良否判断装置１３において出力領域モニタ１により出力された電源電圧、パラメータと比較することにより、訓練の良否を判定できる。これにより、模擬信号発生装置１１によりランダムに入力信号、パラメータを変更した場合にも、講師が訓練生と同様の手順で確認する必要なく、訓練結果を自動的に判断可能となる。
【００２１】
図４は本第２の実施形態における訓練手順フロー図である。  
ＳＴ１からＳＴ３までの訓練の流れは第１の実施形態と同様である。ＳＴ４’にて訓練生は、訓練結果入力手段１０により訓練で確認した結果を入力し、ＳＴ５’にて訓練良否判断装置１３により自動的に訓練結果を評価する。その結果「良」であれば訓練は終了となり、「否」であれば、ＳＴ７にて訓練生が訓練を終了するか継続するかを決定し、継続であれば再びＳＴ４’に戻り訓練を実施する。
【００２２】
本第２の実施形態によれば、確認結果入力手段と訓練の良否を判断する訓練良否判断装置を設けたことにより、自動的に訓練の良否を判定することができるとともに、ランダムに入力信号、パラメータを変更した場合にも効率的に訓練の良否を判断できるので、時間効率及び訓練効率を大幅に改善された出力領域モニタ訓練装置及び訓練方法を提供することができる。
【００２３】
（第３の実施形態）
本発明の第３の実施形態に係る出力領域モニタ訓練装置及び訓練方法を、図５を用いて説明する。  
図５は第３の実施形態に係る出力領域モニタ訓練装置のシステム構成図である。なお、第１及び第２の実施形態と同一の構成には同一の符号を付し、重複する説明は省略する。
【００２４】
本第３の実施形態に係る出力領域モニタ訓練装置は、模擬信号発生装置１１の代わりに故障模擬入力装置１４を設置することで、出力領域モニタ１を構成するＬＰＲＭユニット３、ＡＰＲＭユニット４、ＦＬＯＷユニット５、ＲＢＭユニット６の故障模擬を行い、故障対応訓練を可能としたものである。故障模擬には、例えば各ユニットを構成する基板の故障やユニット間の伝送異常が挙げられる。
【００２５】
故障模擬入力装置１４によりランダムに故障模擬信号が出力領域モニタ１に入力され、警報表示手段７から発生した警報により訓練生が故障箇所を特定する故障対応訓練を実施する。
【００２６】
本第３の実施形態における訓練手順フローは、模擬信号の代わりに故障模擬信号を用いる点がことなるだけで第２の実施形態と同様である。図４を用いて説明すると、ＳＴ１にて訓練生は故障対応訓練を選択する。ＳＴ２にて、故障模擬入力装置１４によりランダムに故障模擬信号が出力領域モニタ１に入力され、故障に対応した警報が警報表示手段７により発生する。ＳＴ３にて表示装置９は発生した警報に対応して、教材記録装置８に格納された故障箇所の同定手順を示した画像、テキスト等のマルチメディアデータを表示する。ＳＴ４’にて訓練生は、表示装置９に表示された手順に従って故障箇所を決定し、故障箇所を確認結果入力手段１０により入力し、ＳＴ５’にて訓練良否判断装置１３は入力された故障箇所が正しいものであるかを判定する。
【００２７】
本第３の実施形態によれば、模擬信号発生装置の代わりに故障模擬入力装置を用いることにより、故障箇所を特定する故障対応訓練を可能とするとともに、自動的に訓練の良否を判定することができるので、時間効率及び訓練効率が大幅に改善された出力領域モニタ訓練装置及び訓練方法を提供することができる。
【００２８】
（第４の実施形態）
本発明の第４の実施形態に係る出力領域モニタ訓練装置及び訓練方法を、図６を用いて説明する。  
図６は第４の実施形態に係る出力領域モニタ訓練装置のシステム構成図である。なお、第１乃至第３の実施形態と同一の構成には同一の符号を付し、重複する説明は省略する。
【００２９】
本第４の実施形態に係る出力領域モニタ訓練装置は、プラント運転状態記録装置１５を訓練コンソール２に接続することで、実際のプラント運転状態を模した訓練を可能とすることを特徴としたものである。
【００３０】
プラント運転状態記録装置１５には、プラント運転時に警報が発生した際の状態が記録されており、訓練コンソール２に接続された模擬信号発生装置１１、故障模擬入力装置１４によりプラント運転状態記録装置１５に記録された状況を再現する。
【００３１】
本第４の実施形態の運転手順フローは、図４の第３の実施形態における訓練手順と同様であり、訓練生は表示装置９に表示された手順に従って、発生した警報が入力側の異常であるのか、出力領域モニタ１の故障であるのか、及び出力領域モニタ１の故障である場合はどの部分が故障しているのかを特定し、結果を確認結果入力手段１２により入力する。
【００３２】
本第４の実施形態によれば、プラント運転状態記録装置を設けたことにより、実際のプラント運転時に警報が発生した状況を再現し、警報の発生原因を特定する警報対応訓練を可能とするとともに、自動的に訓練の良否を判定することができるので、時間効率及び訓練効率が大幅に改善された出力領域モニタ訓練装置及び訓練方法を提供することができる。
【００３３】
（第５の実施形態）
本発明の第５の実施形態に係る出力領域モニタ訓練装置及び訓練方法を、図７を用いて説明する。  
図７は第５の実施形態に係る出力領域モニタ訓練装置のシステム構成図である。なお、第１乃至第４の実施形態と同一の構成には同一の符号を付し、重複する説明は省略する。
【００３４】
本第５の実施形態に係る出力領域モニタ訓練装置は、プラントシミュレータ接続手段１６を出力領域モニタ１に設置し、プラント全体の監視・操作訓練を行うことができるプラントシミュレータ１７との接続を可能としたことを特徴とする。
【００３５】
出力領域モニタ１をプラントシミュレータ接続手段１６を介してプラントシミュレータ１７に接続することで、出力領域モニタ１において故障が発生した際のプラント全体としての対応訓練が実施可能となる。また、プラントシミュレータ１７自体も、出力領域モニタ１からの信号を利用することで、本来、プラントシミュレータが備えなければならない出力領域モニタ１を省略することができるので、その結果、プラントシミュレータ１７の装置構成も簡素化できる。さらに、故障模擬可能な出力領域モニタ訓練装置を用いることで、出力領域モニタ１における故障時の信号についても容易にプラントシミュレータ１７に伝送することが可能となる。
【００３６】
本第５の実施形態によれば、プラントシミュレータを出力領域モニタに接続したことにより、プラントシュミレータは出力領域モニタの出力信号を利用できるとともに、出力領域モニタにおいて故障が発生した際のプラント全体の故障対応訓練を可能とする。さらに、自動的に訓練の良否を判定することができるので、時間効率及び訓練効率が大幅に改善された出力領域モニタ訓練装置及び訓練方法を提供することができる。
【００３７】
（第６の実施形態）
本発明の第６の実施形態に係る出力領域モニタ訓練装置及び訓練方法を、図８及び図９を用いて説明する。
図８は第６の実施形態に係る出力領域モニタ訓練装置のシステム構成図である。なお、第１乃至第５の実施形態と同一の構成には同一の符号を付し、重複する説明は省略する。
【００３８】
本第６の実施形態に係る出力領域モニタ訓練装置は、訓練コンソール２と訓練良否判断装置１３に接続された訓練履歴記録装置１８を設置し、訓練の実施状況、良否を自動的に記録することを特徴とする。
【００３９】
訓練履歴記録装置１８には、例えば、実施された訓練の訓練日・回数・結果良否を自動的に記録することで、訓練生あるいは講師が訓練の実施記録作成の手間を削減することを可能とする。また、訓練履歴記録装置１８を訓練コンソール２と接続することで、訓練項目選択手段１０により訓練を選択する際に、未実施訓練や正解率の低い訓練を検索することが可能となり、効率の良い訓練を実施可能とする。
【００４０】
図９は、本第６の実施形態における出力領域モニタ訓練装置の訓練手順フロー図である。ＳＴ１からＳＴ７までは図４と同様であるが、ＳＴ８にて訓練の実施状況が訓練履歴記録装置１３に自動的に記録され、次回ＳＴ１にて訓練項目を選択する際に未実施訓練や正解率の低い訓練の検索・選択に活用できる。
【００４１】
本第６の実施形態によれば、訓練実施状況を訓練履歴記録装置に自動的に記録することで、訓練生あるいは講師が訓練実施記録を作成する手間を削減し、かつ、訓練項目を選択する際に過去の実施状況を参考にして訓練項目を選択可能としたことにより、さらに、時間効率及び訓練効率が大幅に改善された出力領域モニタ訓練装置及び訓練方法を提供することができる。
【図面の簡単な説明】
【００４２】
【図１】本発明の第１の実施形態に係る出力領域モニタ訓練装置のシステム構成図。
【図２】本発明の第１の実施形態に係る出力領域モニタ訓練装置の訓練手順フロー図。
【図３】本発明の第２の実施形態に係る出力領域モニタ訓練装置のシステム構成図。
【図４】本発明の第２乃至第４の実施形態に係る出力領域モニタ訓練装置の訓練手順フロー図。
【図５】本発明の第３の実施形態に係る出力領域モニタ訓練装置のシステム構成図。
【図６】本発明の第４の実施形態に係る出力領域モニタ訓練装置のシステム構成図。
【図７】本発明の第５の実施形態に係る出力領域モニタ訓練装置のシステム構成図。
【図８】本発明の第６の実施形態に係る出力領域モニタ訓練装置のシステム構成図。
【図９】本発明の第６の実施形態に係る出力領域モニタ訓練装置の訓練手順フロー図。
【図１０】従来の出力領域モニタ訓練装置のシステム構成図。
【符号の説明】
【００４３】
１…出力領域モニタ、２…訓練コンソール、３…ＬＰＲＭユニット、４…ＡＰＲＭユニット、５…ＦＬＯＷユニット、６…ＲＢＭユニット、７…警報表示手段、８…教材記録装置、９…表示装置、１０…訓練項目選択手段、１１…模擬信号発生装置、１２…確認結果入力手段、１３…訓練良否判断装置、１４…故障模擬入力装置、１５…プラント運転状態記録装置、１６…プラントシミュレータ接続手段、１７…プラントシミュレータ、１８…訓練履歴記録装置、１９…手動模擬信号発生装置、２０…教材。
【図１】
2010151612.tif 000003
【図２】
2010151612.tif 000004
【図３】
2010151612.tif 000005
【図４】
2010151612.tif 000006
【図５】
2010151612.tif 000007
【図６】
2010151612.tif 000008
【図７】
2010151612.tif 000009
【図８】
2010151612.tif 000010
【図９】
2010151612.tif 000011
【図１０】
2010151612.tif 000012